(57)【要約】      （修正有）【課題】電車内等での傘の持ちづらさと置き忘れを解消するため、傘を鞄と一体に出来る、鞄に取り付け、そこに傘を保持出来るホルダーを提供する。【解決手段】装着箇所の厚みに対応する為に、広目、狭目、狭目より狭い合計３種類の取付部を有する構造を特徴とし、上下表裏いずれかの装着使用により、各取付部を選択出来る、鞄ポケットに装着する、ひと筆書き状のホルダーである。各取付部の対応可能幅を広げる為、狭目取付部の１辺は、波形曲線で有り、広目取付部は両辺が曲線幅も異なる波形辺で有る。ホルダーに装着するワンタッチ式ベルトの縦長又は横長装着を、表裏で使い分ける。【選択図】図１
0003216000.tif 000002
【実用新案登録請求の範囲】
【請求項１】
明細書０００５に記述の、本ホルダーの制作手順、制作方法。
【請求項２】
上下、裏表での装着が出来、上下いずれかの装着で、装着箇所の厚みに対応した、３種類の取付部を持ち、その内側の一辺、或いは両辺が波形曲線である事で、基々の取付部の可能な取付幅を広げている。請求項１内、明細書０００５に記述の制作方法による。
【請求項３】
広目の取付部の底辺を、本体側面と同じ、最大幅に取れる様に、上記請求項２に記述の波形曲線を、上記請求項１に記述の制作方法による、配し方により、この取付部底辺内に収まった鞄の幅、以外の余分幅で、取付けた本体と鞄表面に生む隙間が、本体へのマジックベルト等の装着口を一時的にも広く確保出来る。装着後は、この取付部内を、挟く保っている形状の、上記制作方法の波形からの圧で安定する。
【請求項４】
上記、請求項１、による、制作方法の、本ホルダーは、本体の裏表で縦方向、横方向に本ホルダーへのマジックベルト等の装着が選択出来、これにより、傘等を各面で、横に、縦に、と保持出来る事。マジックベルト等で、傘等を一周して保持する。
【請求項５】
鞄のショルダーベルトを不使用時、上記請求項４に記述の、装着部を使用し、短かく所持し、鞄より下へのぶら下がり、引きずりを解消する。
【請求項６】
請求項１に記述の制作方法であり、本ホルダー特徴の１つである、ひと筆書き状の構成である事から、請求項１内、明細書０００５に記述の制作手順を、逆行して制作する事が出来る。
【請求項７】
上記、請求項６に記述の、制作方法であり、他に部品を用いる事が無く、コストの削減である。
【請求項８】
上記、請求項６に記述の、制作始点である、１番挟い取付部、取付口の円の面積が、鞄等への取り付け時の最初の接点を広げ、又、曲線での進行で、スムースである。
【請求項９】
上記、請求項８に記述の円は、本ホルダーを鞄等へ取付後、その取付口の圧となる。
【請求項１０】
請求項１に記載の明細書０００５記述制作方法による形状であり、マジックテープ等を本ホルダーに、上方、側辺から押し挟む、差し入れる、の簡便さで、挿入口は曲線でありスムースである。１か所だけ、或いは全か所を、順に波形に、等ランダムな選択が出来、その圧を調整出来る。
【請求項１１】
上記に記載の本ホルダー取付部の使用しない箇所は、縦長にマジックテープを装着する面を使用時の横長使用や、広い取付部を使った、厚めのマジックテープの装着等ホルダー装着部として使用出来る。
【請求項１２】
請求項１０、に記述の制作方法により、角を曲線とする形状で、突出する容積率が減りコンパクトである。
【考案の詳細な説明】
【技術分野】
【０００１】  本考案は、鞄の背面ポケット等に取り付け、傘やショルダーベルトをキープする、上下、裏表の使用が出来るホルダーである。
【背景技術】
【０００２】  電車内等で、鞄と傘を合わせて持つとその２つが角度を作り、傘の先が離れて場所を、取り危く、不便で有るので、鞄に添わせて保持出来、又傘の置き忘れも防ぎたい。
【考案の概要】
【考案が解決しようとする課題】
【０００３】  上記０００２の理由から鞄の背面ポケット等に取り付けるマジックベルトを簡単に装着するホルダーを作成する。紐等を装着して使用する事も出来るホルダーにする。
【課題を解決するための手段】
【０００４】  上記０００３を作成し、そのホルダーにマジックベルトを装着し、マジックベルトで傘を一周し鞄の背面に添わせて保持する。紐等の装着で、代用も出来る物にする。
【考案を実施するための形態】
【０００５】  しなりの少ない、直径２ミリメートル弱の鉄材で、本ホルダーの取付け部を、正面平面と背面平面に対し、側面とみなす垂直面上に作成する。次に背面部、正面部、対になる、側面の取付部、と順に作成し完成とする。正面本体外形を、約５センチメートル四方、側面とする厚さを、約１センチ５ミリメートルとし、取付け部をはずし、本体正面と背面の、側面としての厚さの幅は、約１センチメートルとする。ひと筆書き状の延長線構造とする。各部の作成進行で延長線の方向を変える角は、全て、その部の最大面積内を通る、曲線とする。取付部は各側面共、取付幅を変えた、３種類の作成をする。以下は、作成手順。正面平面上に底部左角で、先端を曲線にする為の直径約５ミリメートルの円を作成。頂点から一周で頂点に戻り、その延長を、円の直径を含めた本体全長を、頂上辺左角まで進み９０度方向を変え、側面頂上辺を、約２ミリメートル進み、薄目の鞄等に本ホルダーを、取り付ける、挟い取付部の底辺とする。その位置から側面状に底辺までを約１０分割にした波形を、頂上辺進行方向に約３ミリメートルのみなし幅一杯に描き、２から５ミリメートルの幅を持つ、挟い取付部を作成。側面底辺に添い進行方向へ約１０ミリメートル進み底辺を成し、その角から、上記波形を描いた方向へ、約３ミリメートルのみなし幅で、全長を約６分割とし、頂上辺まで波形を描き、頂上辺の本体背面部と、この側面部の角で、終わる４から１０ミリメートルの幅を持つ、広目の取付部を作成。その延長を側面進行方行へ約３ミリメートルを底辺とし、約９０度方向を変え底部まで直進し、３から６ミリメートルの幅を持つ、本ホルダーの正面を使用する時の挟目の取付部とする。９０度方向を変え、本体背面底部を向かって左から右へ、本体全幅に進み、本体幅内を一杯に、上辺迄を右から左へ、又右へと、横８の字様に、坪型を描き積み上げ、外形外枠にみたてた。以下略。向かって右縦辺に添って、最大内径が、本体全長の、約４分の５センチメートルの横型の坪底辺が、縦に４つ積まれた形で、本体全長の約５センチメートルと成り、向かって左縦辺に添って、上記３分の５センチメートル程の坪底曲線が、３つ積み上がった、上下は逆に描いてある、図２の様に、正面を使用時の、正面から通して、背面を見た時の背面を作成。マジックテープ等を縦長に装着し、使用する。坪に見たてた隣合う曲線は、接点を取るとし、取れない場合は、一定側の辺を順に重ねるとする。上記横型の最後の坪型で本体頂上辺を、向かって右から左へ、背面左上の頂点で、９０度方向を変え、全長を底部左角まで、上記作成背面の前に進み降り、約９０度、約１０ミリメートル前進した、側面幅を、上記側面取付部に隣接する、本体厚みとする。この幅を経て、背面に対し正面とする。底辺から頂上辺へ、全長を一杯に、上記横型同様、縦型に、８の字様に、坪型を描き、底辺に添って、上記本体側面とみなす幅を取った曲線を含め、最大垂平内径約４分の５センチメートルの、坪の底辺曲線が、横に４つ並び、頂上辺に添っては上記内径３分の５センチメートル程の上記底辺曲線が、かもめの形に３つ並び、上記本体背面に対し、正面にあたり、マジックテープ等を横に長く装着する面を作成した。底辺側の最後の縦���底の延長を底辺から５ミリメートル程の高さでこの平面の前面へ約２ミリメートル垂平に進み、円の作成から、上記取付部３種類の、制作課程を繰り返し、最後の取付け部全長線内の先端を、最初に作成した円で終わるとする、対の側面取付部を作成した。
【図面の簡単な説明】
【０００６】
【図１】本ホルダーの正面図と取付部の平面図
【図２】上記に対して、本ホルダーの背面となる平面図とそれに対し垂直面の取付部を平面図とした
【図１】
0003216000.tif 000003
【図２】
0003216000.tif 000004
【手続補正書】
【提出日】平成29年4月24日(2017.4.24)
【手続補正１】
【補正対象書類名】図面
【補正対象項目名】図２
【補正方法】変更
【補正の内容】
【図２】
0003216000.tif 000005
【手続補正書】
【提出日】平成29年8月23日(2017.8.23)
【手続補正１】
【補正対象書類名】実用新案登録請求の範囲
【補正対象項目名】全文
【補正方法】変更
【補正の内容】
【実用新案登録請求の範囲】
【請求項１】
上下裏表いずれかの装着により、装着箇所の厚みに対応する為の３種類の取付部を有する事を特徴とするホルダー。
【請求項２】
装着時の対応可能幅を広げる為、上記取付部の内側の１辺又は両辺が、波形曲線で有り、両辺の物は、互いが幅の異なる波形辺で有る事が特徴のホルダー。
【請求項３】
上記に記載の本ホルダーに装着するワンタッチ式ベルトの、縦長又は横長装着を使い分ける、表裏使用で有る事が特徴のホルダー。
【手続補正書】
【提出日】平成29年10月31日(2017.10.31)
【手続補正１】
【補正対象書類名】実用新案登録請求の範囲
【補正対象項目名】全文
【補正方法】変更
【補正の内容】
【実用新案登録請求の範囲】
【請求項１】
装着箇所の厚みに対応する為の、広目の取付部と側面に、狭目、より狭い合計３種類の取付部を有する構造を特徴とし、上下表裏いずれかの装着使用により、各取付部を選択出来る、鞄ポケット等に装着する、ひと筆書き状のホルダー。
【請求項２】
請求項１に記載の各取付部の対応可能幅を広げる為、狭目取付部２種の、１辺は波形曲線で有り、広目取付部は両辺が、曲線幅も異なる波形辺で有る構造が特徴の、ホルダー。
【請求項３】
請求項１と２に記載の本ホルダーに装着する、ワンタッチ式ベルトの縦長又は横長装着を、表裏で使い分ける構造が特徴の表裏使用のホルダー。
【手続補正書】
【提出日】平成30年2月8日(2018.2.8)
【手続補正１】
【補正対象書類名】実用新案登録請求の範囲
【補正対象項目名】全文
【補正方法】変更
【補正の内容】
【実用新案登録請求の範囲】
【請求項１】
装着箇所の厚みに対応する為に、広目、狭目、狭目より狭い合計３種類の取付部を有する構造を特徴とし、上下表裏いずれかの装着使用により、各取付部を選択出来る、鞄ポケットに装着する、ひと筆書き状のホルダー。
【請求項２】
請求項１に記載の各取付部の対応可能幅を広げる為、狭目取付部の１辺は、波形曲線で有り、広目取付部は両辺が曲線幅も異なる波形辺で有る構造が特徴のホルダー。
【請求項３】
請求項１又は２に記載のホルダーに装着するワンタッチ式ベルトの縦長又は横長装着を、表裏で使い分ける構造が特徴の表裏使用のホルダー。